(57)【要約】      （修正有）【課題】本考案は、マスク本体の口元部分が汚れた場合は、口元用シートのみを交換することができる口元用シート装着マスクを提供する。【解決手段】口元用シート装着マスク１０は、マスク体１２と口元用シート１４を備えている。マスク本体１６の一側部には第１耳掛け体２０が設けられ、他側部には第２耳掛け体２２が設けられている。マスク本体１６は表布帛２４と裏布帛を重ね合せて形成され、表布帛２４と裏布帛との間には口元用シート１４を収容できる口元用シート収容部２８が形成されている。表布帛２４には表布帛開口部３０が形成されている。表布帛２４の裏面にはメッシュ生地３２が取り付けられ表布帛開口部３０を塞いでいる。裏布帛には口元用シート出入開口部が形成されている。【選択図】図１
0003205818.tif 000002
【実用新案登録請求の範囲】
【請求項１】
マスク体と、このマスク体に着脱可能に設けられる口元用シート体と、を備えてなる口元用シート装着マスクであって、
前記マスク体を構成すると共に表シート体と裏シート体を重ね合せて形成されたマスク本体と、前記表シート体と前記裏シート体との間に形成されると共に前記口元用シートを差し込んだ状態で収容できる口元用シート収容部と、前記表シート体の中央部に形成された表シート体開口部と、前記裏シート体に形成された口元用シート出入開口部と、前記マスク体を構成すると共に前記マスク本体の一側部に設けられた第１耳掛け体と、前記マスク体を構成すると共に前記マスク本体の他側部に設けられた第２耳掛け体と、を有してなることを特徴とする口元用シート装着マスク。
【請求項２】
前記マスク本体の下部に顎載部を形成したことを特徴とする請求項１記載の口元用シート装着マスク。
【請求項３】
前記表シート体に取り付けられて前記表シート体開口部を塞ぐメッシュ生地を設けたことを特徴とする請求項１、請求項２のいずれか１記載の口元用シート装着マスク。
【考案の詳細な説明】
【技術分野】
【０００１】
本考案は、主に工場等で作業者が作業をする場合に着用するマスクに関し、詳しくはマスクに装着される口元用シートのみを交換することができる口元用シート装着マスクに関する。
【背景技術】
【０００２】
一般に食料品等の製造工場等では製造工場内環境を衛生的にするため作業者は作業中マスクを着用する（例えば、特許文献１）。
ところで、前記マスクのマスク本体は作業者の口元や鼻を主に覆うようにして着用されるが、作業者の呼吸や会話等により前記マスク本体の口元部分が一番汚れ易い。
このため、作業者は、定期的にマスクを交換する必要が生じるが、従来のマスクは使い捨てであるためマスク本体の口元部分だけが汚れているマスクであってもマスク全体を廃棄して新しいマスクに交換している。
【先行技術文献】
【特許文献】
【０００３】
【特許文献１】特開２００４−８９２２９号公報
【考案の概要】
【考案が解決しようとする課題】
【０００４】
このため、定期的にマスクそのものを廃棄するためマスクの廃棄量が多くなると共にマスクの廃棄による資源の無駄を助長し、環境的にも優しくない。
また、マスクの使い捨てによりマスクの購入コストがかかり、企業の経済的負担も大きくなるという不具合がある。
さらに、企業等では大量の使い捨て用のマスクを倉庫等に保管する必要があるので、保管スペースの確保や保管費用のコストがかかってしまうという問題がある。
【０００５】
本考案は、上記事実に鑑みなされたものであり、マスクの口元部分が汚れた場合は、汚れた部分のみを交換できるマスクを提供するものである。
【課題を解決するための手段】
【０００６】
請求項１の考案は、マスク体と、このマスク体に着脱可能に設けられる口元用シート体と、を備えてなる口元用シート装着マスクであって、
前記マスク体を構成すると共に表シート体と裏シート体を重ね合せて形成されたマスク本体と、前記表シート体と前記裏シート体との間に形成されると共に前記口元用シートを差し込んだ状態で収容できる口元用シート収容部と、前記表シート体の中央部に形成された表シート体開口部と、前記裏シート体に形成された口元用シート出入開口部と、前記マスク体を構成すると共に前記マスク本体の一側部に設けられた第１耳掛け体と、前記マスク体を構成すると共に前記マスク本体の他側部に設けられた第２耳掛け体と、を有してなることを特徴としている。
請求項２の考案は、前記マスク本体の下部に顎載部を形成したことを特徴としている。
請求項３の考案は、前記表シート体に取り付けられて前記表シート体開口部を塞ぐメッシュ生地を設けたことを特徴としている。
【考案の効果】
【０００７】
本考案は、着脱可能な口元用シートを装着したので、マスクを低コストで清潔に保つことができるという優れた効果を有する。
本考案は、着脱可能な口元用シートを装着したので、マスクを使い捨てにしなくて済むので廃棄物の量を抑えると共に資源の有効活用を図ることができるという優れた効果を有する。
本考案は、着脱可能な口元用シートを装着したので、マスク全体を保管する場合に比べて保管する量を少なくすることができ、保管スペースを小さくできると共に保管コストを抑えることができるという優れた効果を有する。
本考案は、着脱可能な口元用シートを装着したので、従来の使い捨てマスクを運搬する場合に比べて運搬コストを抑えることができるという優れた効果を有する。
【図面の簡単な説明】
【０００８】
【図１】第１実施例の口元用シート装着マスクの正面図である。
【図２】第１実施例の口元用シート装着マスクの背面図である。
【図３】第１実施例の口元用シート装着マスクから口元用シートを取り外した状態の正面図である。
【図４】第１実施例の口元用シート装着マスクのマスク体と口元用シートの背面図である。
【図５】第１実施例の口元用シート装着マスクの使用状態を示す全体斜視図である。
【図６】第２実施例の口元用シート装着マスクの全体斜視図である。
【考案を実施するための形態】
【０００９】
考案を実施するために最良の形態の例として以下のような実施例を示す。
【実施例１】
【００１０】
図１〜図５には本考案に係る口元用シート装着マスクの第１実施例が示されている。
図１〜図５に示されるように、第１実施例の口元用シート装着マスク１０は、マスク体１２と、このマスク体１２に着脱可能に装着される口元用シート１４と、を備えている。
【００１１】
前記マスク体１２のマスク本体１６は、主にマスク着用者１の顔面の中間部から下部を覆うことができるようになっている。
【００１２】
前記マスク本体１６の下部には一体形成される顎載部１８が連続形成されている。この顎載部１８は、作業者であるマスク着用者１の顎を載せることができるようになっている。
前記顎載部１８を設けることにより口元用シート装着マスク１０を着用する場合にマスク着用者１の顎を顎載部１８に載せると口元用シート装着マスク１０の位置決めを行い易くなると共に着用中の口元用シート装着マスク１０がずれ難くすることができる。
【００１３】
前記マスク本体１６の一側部には第１耳掛け体２０が設けられ、前記マスク本体１６の他側部には第２耳掛け体２２が、設けられている。
【００１４】
図１〜図４に示されるように、前記マスク本体１６及び顎載部１８は、表シート体としての表布帛２４と裏シート体としての裏布帛２６を重ね合せて形成されている。この実施例では前記表布帛２４、裏布帛２６は抗菌加工されている。
この実施例では前記表布帛２４、前記裏布帛２６はポリエステル１００％素材、ポリエステルと綿・ナイロン等の混紡素材、織物・ニット素材等の各種素材の中から適宜選択された素材で形成されている。
【００１５】
前記表布帛２４の上縁、下縁、第１側縁、第２側縁と前記裏布帛２６の上縁、下縁、第１側縁、第２側縁は糸で縫着され、前記表布帛２４と前記裏布帛２６は縫着されて一体となっている。
【００１６】
前記マスク本体１６の前記表布帛２４と前記裏布帛２６との間には前記口元用シート１４を差し込んで収容することができる口元用シート収容部２８が形成されている。
【００１７】
図１及び図３に示されるように、前記表布帛２４の中央部には矩形状に表布帛開口部３０が切り欠き形成されている。
前記表布帛２４の裏面にはメッシュ生地３２が取り付けられ、これにより前記表布帛開口部３０は前記メッシュ生地３２によって塞がれている。なお、前記表布帛開口部３０を塞いでいるのはメッシュ生地３２であるため、口元用シート装着マスク１０を着用しても息苦しさを感じることはない。
【００１８】
図２及び図４に示されるように、前記裏布帛２６の中央部には矩形状に口元用シート出入開口部３４が切り欠き形成されている。この口元用シート出入開口部３４の縁部の前記裏布帛２６にはステッチ３６が設けられている。
これにより、前記口元用シート差入開口部３４を介して口元用シート１４を口元用シート収容部２８に収容したり取り出したりできるようになっている。
【００１９】
なお、前記口元用シート出入開口部３４は前記表布帛開口部３０と同じ大きさに切り欠き形成されると共に前記表布帛開口部３０と対応して形成されている。
【００２０】
図１及び図２に示されるように、前記口元用シート１４を前記口元用シート収容部２８に収容すると口元用シート１４の周縁部は前記口元用シート収容部２８に収容されて表布帛２４と裏布帛２６とによって挟まれるので、口元用シート１４は不用意にマスク本体１６から脱落しないようになっている。
なお、前記口元用シート１４は、この実施例では不織布を矩形状に折り畳んで形成されている。
【００２１】
次に、第１実施例の口元用シート装着マスク１０の作用を作業者が口元用シート装着マスク１０を着用する場合を一例にして説明する。
【００２２】
口元用シート装着マスク１０を使用する場合は、新しい口元用シート１４を口元用シート差入開口部３４から口元用シート収容部２８に差し込んで収容する。なお、口元用シート差入開口部３４は、切り欠き形成されているので口元用シート１４を簡単に口元用シート収容部２８に差し込むことができる。
【００２３】
口元用シート１４を前記口元用シート収容部２８に収容すると口元用シート１４の周縁部は前記表布帛２４と前記裏布帛２６とによって挟まれるので、口元用シート１４は不用意にマスク本体１６から脱落しない。
【００２４】
そして、新しい口元用シート１４を配設した口元用シート装着マスク１０の顎載部１８に作業者１の顎を載せると共に第１耳掛け体２０と第２耳掛け体２２を作業者１の耳にそれぞれ掛けることにより口元用シート装着マスク１０を着用する。
【００２５】
口元用シート装着マスク１０を着用した作業者１の呼吸や会話等により前記口元用シート装着マスク１０の口元部分が汚れる。
【００２６】
このため、作業者１は、口元用シート差入開口部３４から口元用シート１４を摘まんで口元用シート１４をマスク本体１６から取り外して前記口元用シート１４のみを廃棄する。
【００２７】
そして、ストックしてある新しい口元用シート１４を口元用シート収容部２８に収容して、新しい口元用シート１４をマスク体１２に装着すれば清潔な口元用シート装着マスク１０にすることができる。
【００２８】
従って、従来の使い捨てマスクのように着用していたマスクを使い捨てて新しいマスクに交換する場合に比べて廃棄物の廃棄量を抑えることができると共に資源の無駄を少なくすることができ、また、環境にも優しく資源の有効利用を図ることができる。
【００２９】
また、マスク本体１６の口元部が汚れた場合は口元用シート１４だけの交換でよいので、口元用シート１４よりもコストの高いマスク体１２の購入を少なくでき、その結果、従来の使い捨てマスクを購入する場合に比べてコストを大幅に抑えることができ企業にとっては経済的メリットが大きい。
【００３０】
また、口元用シート装着マスク１０を使用する場合は、口元用シート１４のストック量に比べてマスク体１２のストック量を少なくできる結果、従来の使い捨てマスクを使用する場合に比べ保管スペースを１／２以下にすることができると共に倉庫代も抑えることができる。
さらに、口元用シート装着マスク１０を使用する場合の運送コストも従来の使い捨てマスクに比べて運送用段ボール箱スペースが１／２以下になり、結果的に従来の使い捨てマスクの運送コストに比べて半減することができる。
【００３１】
なお、口元用シート装着マスク１０のマスク本体１６に着色される色を複数色備えることにより、作業の区域別における作業者１の識別を行い易くできると共に所謂ハセップの区域別管理も口元用シート装着マスク１０で対応することができる。
【００３２】
図６には口元用シート装着マスクの第２実施例が示されている。なお、第１実施例の口元用シート装着マスク１０と同一の構成は同一の符号を用いてその説明は省略する。
【００３３】
第２実施例の口元用シート装着マスク４０は、前記マスク本体１６の下部に顎載部１８は設けられていない。
【００３４】
従って、口元用シート装着マスク４０を着用する場合、作業者１は顎を顎載部１８に載せることはできないが、第１実施例の口元用シート装着マスク１０に比べて構成をよりシンプルにすることができると共に製造コストを抑えることができる。
【００３５】
なお、第２実施例の口元用シート装着マスク４０の他の構成、作用は第１実施例の口元用シート装着マスク１０と同一であるのでその説明は省略する。
【００３６】
なお、実施例では表シート体としての表布帛２４を、裏シート体としての裏布帛２６を、示したが表シート体と裏シート体はシート体であれば布帛に限定されるものでないことは勿論である。
【００３７】
また、実施例では前記口元用シート１４は不織布を矩形状に折り畳んだもので形成したが、口元用シート１４の素材は不織布に限定されるものでないことは勿論である。
【００３８】
なお、本考案の口元用シート装着マスクは、飲食料品の製造工場で作業する作業者だけでなく、医薬、医療機器、電子部品、半導体等の製造工場等で作業する作業者が使用してもよいし、あるいは作業者以外の者が使用してもよい。
【符号の説明】
【００３９】
１０    口元用シート装着マスク
１２    マスク体
１４    口元用シート
１６    マスク本体
１８    顎載部
２０    第１耳掛け体
２２    第２耳掛け体
２４    表布帛
２６    裏布帛
２８    口元用シート収容部
３０    表布帛開口部
３２    メッシュ生地
３４    口元用シート出入開口部
３６    ステッチ
【図１】
0003205818.tif 000003
【図２】
0003205818.tif 000004
【図３】
0003205818.tif 000005
【図４】
0003205818.tif 000006
【図５】
0003205818.tif 000007
【図６】
0003205818.tif 000008